(57)【特許請求の範囲】
【請求項１】
集塵容器と、
掃除機本体に設けられ前記集塵容器が着脱自在に収容される集塵室と、
前記集塵室の上部開口を開閉自在に覆う上蓋とを備え、
前記上蓋の下面に係止部を有し、
前記集塵容器の上部には前記係止部と係止される被係止部を有し、
前記集塵室の上部開口を前記上蓋が閉じる動作にともない前記係止部が弾性変形して前記係止部の先端部が前記被係止部の端部を乗り越え、
前記集塵室の上部開口を前記上蓋が閉じた状態から開ける動作にともない前記係止部が前記被係止部を係止して前記集塵容器を引き上げるとともに、前記上蓋が所定の位置以上に開くと前記係止部の前記先端部が前記被係止部の前記端部を乗り超えることにより前記係止部と前記被係止部との係止が解除される電気掃除機。
【請求項２】
前記係止部は前記被係止部を係止する第１の面と、この第１の面と前記先端部を介して連なる傾斜面である第２の面とを有する爪部であり、
前記被係止部は板状部であり、
前記集塵室の上部開口を前記上蓋が閉じる動作にともない前記爪部が弾性変形して前記第２の面が前記板状部の前記爪部側の前記端部と摺動しながら前記爪部の前記先端部が前記板状部の前記端部を乗り越え、
前記集塵室の上部開口を前記上蓋が閉じた状態から開ける動作にともない前記爪部の前記第１の面が前記板状部の下面を係止して前記集塵容器を引き上げるとともに、前記上蓋が所定の位置以上に開くと前記第１の面または前記先端部と前記板状部の下面とが摺動して前記爪部の前記先端部が前記板状部の前記端部を乗り超えることにより前記係止部と前記被係止部との係止が解除されることを特徴とする請求項１記載の電気掃除機。
【請求項３】
前記板状部の下面で前記第１の面または前記先端部と摺動する位置に傾斜部を設けたことを特徴とする請求項２記載の電気掃除機。
【請求項４】
前記集塵容器は下方に向かって先細りの形状であることを特徴とする請求項１〜３のいずれか１項に記載の電気掃除機。
【請求項５】
前記上蓋は一端側の軸支部により回動自在に支持され、
前記集塵容器が前記集塵室に収容された状態で、前記集塵容器の重心が、前記被係止部よりも前記上蓋の軸支部側に位置することを特徴とする請求項４に記載の電気掃除機。
【請求項６】
前記集塵室の上部開口を前記上蓋が閉じる動作にともない前記集塵容器を前記集塵室の所定の位置に押し込むようにすべく、前記上蓋の下面に前記集塵容器の上部と当接する当接部を設けたことを特徴とする請求項１〜５のいずれか１項に記載の電気掃除機。
【請求項７】
前記掃除機本体側に回動自在に軸支され、前記集塵容器を前記集塵室に係止するとともに第１の面と該第１の面よりも下方に位置する第２の面とを有する係止部材と、
前記係止部材の前記第１の面及び前記係止部材の前記第２の面を下方に回動する方向に前記係止部材を付勢する付勢手段と、
前記係止部材の前記方向への回動範囲を規制する規制部と、
前記集塵容器に前記係止部材の前記第２の面と当接する第２の被係止部とを備え、
前記集塵容器が前記集塵室に収容された状態では前記係止部材の前記第２の面が前記集塵容器の前記第２の被係止部と当接して前記係止部材が前記集塵容器を係止し、
前記集塵容器が前記集塵室から引き上げられるときは、前記第２の被係止部が前記付勢手段の付勢力に抗して前記係止部材の前記第２の面を押し上げて、前記係止部材と前記集塵容器との係止を解除し、
前記集塵容器が前記集塵室に押し込まれるときは、前記規制部により前記係止部材の回動が停止した状態で、前記係止部材の前記第１の面が前記集塵容器と摺動することを特徴とする、
請求項１〜６のいずれか１項に記載の電気掃除機。
【請求項８】
集塵容器と、
掃除機本体に設けられ前記集塵容器が着脱自在に収容される集塵室と、
前記集塵室の上部開口を開閉自在に覆う上蓋と、
前記掃除機本体側に回動自在に軸支され、前記集塵容器を前記集塵室に係止するとともに第１の面と該第１の面よりも下方に位置する第２の面とを有する係止部材と、
前記第１の面及び前記第２の面を下方に回動する方向に前記係止部材を付勢する付勢手段と、
前記係止部材の前記方向への回動範囲を規制する規制部と、
前記集塵容器に前記第２の面と当接する第２の被係止部とを備え、
前記上蓋の下面に係止部を有し、
前記集塵容器の上部には前記係止部と係止される被係止部を有し、
前記集塵室の上部開口を前記上蓋が閉じた状態から開ける動作にともない前記係止部が前記被係止部を係止して前記集塵容器を引き上げるとともに、前記上蓋が所定の位置以上に開くと前記係止部と前記被係止部との係止が解除され、
前記集塵容器が前記集塵室に収容された状態では前記第２の面が前記集塵容器の前記第２の被係止部と当接して前記係止部材が前記集塵容器を係止し、
前記集塵容器が前記集塵室から引き上げられるときは、前記第２の被係止部が前記付勢手段の付勢力に抗して前記第２の面を押し上げて、前記係止部材と前記集塵容器との係止を解除し、
前記集塵容器が前記集塵室に押し込まれるときは、前記規制部により前記係止部材の回動が停止した状態で、前記第１の面が前記集塵容器と摺動することを特徴とする電気掃除機。
【発明の詳細な説明】
【技術分野】
【０００１】
本発明は集塵容器を備えた電気掃除機に係り、特に、集塵容器の取り出し性の向上に関するものである。
【背景技術】
【０００２】
従来、電気掃除機の集塵方式として、紙パックを用いる方式や、旋回流の遠心力を利用して塵埃を分離するサイクロン方式が広く用いられている。そして、集塵容器は、掃除機本体の上面が開口した集塵室に着脱自在に収容され、掃除機本体に一端側が回動自在に軸支された上蓋を閉じて集塵室上面の開口を閉じる。
【０００３】
時に、サイクロン方式は，集塵容器で空気漏れが発生しないように、電動送風機が発生する吸引風に対し、集塵容器の風上側の吸入口や風下側のフィルター部と集塵室との間をシールをしている。そのため，集塵容器を集塵室から取り出すときに力を要する。そのためコイルバネを用い，上蓋の開動に連動してコイルバネが集塵容器を持上げるポップアップ機構を設けた掃除機がある（例えば、特許文献１）。
【先行技術文献】
【特許文献】
【０００４】
【特許文献１】特開２００８−６８０２２号（第８頁、図７）
【発明の概要】
【発明が解決しようとする課題】
【０００５】
従来の電気掃除機は集塵容器をコイルバネで持上げるため，バネ及びバネを保持する部品分の重量が増加する課題があった。
【０００６】
本発明は、このような課題を解決するため、コイルバネを用いず、簡単な構成で集塵容器をポップアップすることが可能な電気掃除機を提供することにある。
【課題を解決するための手段】
【０００７】
本発明に係る電気掃除機は、集塵容器と、掃除機本体に設けられ集塵容器が着脱自在に収容される集塵室と、この集塵室の上部開口を開閉自在に覆う上蓋とを備え、この上蓋の下面に係止部を有し、集塵容器の上部には係止部と係止される被係止部を有し、集塵室の上部開口を上蓋が閉じる動作にともない係止部が弾性変形して係止部の先端部が被係止部の端部を乗り越え、集塵室の上部開口を上蓋が閉じた状態から開ける動作にともない係止部が被係止部を係止して集塵容器を引き上げるとともに、上蓋が所定の位置以上に開くと係止部の先端部が被係止部の端部を乗り超えることにより係止部と被係止部との係止が解除されるものである。
また、本発明に係る電気掃除機は、集塵容器と、掃除機本体に設けられ集塵容器が着脱自在に収容される集塵室と、集塵室の上部開口を開閉自在に覆う上蓋と、掃除機本体側に回動自在に軸支され、集塵容器を集塵室に係止するとともに第１の面と該第１の面よりも下方に位置する第２の面とを有する係止部材と、第１の面及び第２の面を下方に回動する方向に係止部材を付勢する付勢手段と、係止部材の方向への回動範囲を規制する規制部と、集塵容器に第２の面と当接する第２の被係止部とを備え、上蓋の下面に係止部を有し、集塵容器の上部には係止部と係止される被係止部を有し、集塵室の上部開口を上蓋が閉じた状態から開ける動作にともない係止部が被係止部を係止して集塵容器を引き上げるとともに、上蓋が所定の位置以上に開くと係止部と被係止部との係止が解除され、集塵容器が集塵室に収容された状態では第２の面が集塵容器の第２の被係止部と当接して係止部材が集塵容器を係止し、集塵容器が集塵室から引き上げられるときは、第２の被係止部が付勢手段の付勢力に抗して第２の面を押し上げて、係止部材と集塵容器との係止を解除し、集塵容器が集塵室に押し込まれるときは、規制部により係止部材の回動が停止した状態で、第１の面が集塵容器と摺動することを特徴とするものである。
【発明の効果】
【０００８】
軽量、かつ、簡単な構成で集塵容器をポップアップすることができる。
【図面の簡単な説明】
【０００９】
【図１】本発明の実施の形態１に係る電気掃除機の外観斜視図である。
【図２】本発明の実施の形態１に係る電気掃除機の掃除機本体の平面図である。
【図３】図２のＡ−Ａ線断面図である。
【図４】本発明の実施の形態１に係る電気掃除機の集塵容器の外観斜視図である。
【図５】本発明の実施の形態１に係る電気掃除機の集塵容器の側面図である。
【図６】本発明の実施の形態１に係る電気掃除機の上蓋上面の意匠部品を取り外した外観斜視図である。
【図７】本発明の実施の形態１に係る電気掃除機の上蓋の底面図である。
【図８】図３のＢ部拡大図である。
【図９】本発明の実施の形態１に係る電気掃除機の集塵容器を集塵室から取り出す動作を説明するための図である。
【図１０】本発明の実施の形態１に係る電気掃除機の集塵容器を集塵室から取り出す動作を説明するための図である。
【図１１】本発明の実施の形態１に係る電気掃除機の集塵容器を説明するための図である。
【図１２】本発明の実施の形態１に係る電気掃除機の集塵容器を説明するための図である。
【図１３】本発明の実施の形態２に係る電気掃除機の集塵容器を集塵室へ押し込む動作を説明するための図である。
【図１４】図１３のＣ部拡大図である。
【図１５】本発明の実施の形態３に係る電気掃除機の係止部材を含む縦断面図である。
【図１６】本発明の実施の形態３に係る電気掃除機の係止部材の外観斜視図である。
【図１７】本発明の実施の形態３に係る電気掃除機の係止部材の動作を説明する、図１５のＤ部拡大図である。
【図１８】本発明の実施の形態３に係る電気掃除機の係止部材の動作を説明する図である。
【図１９】本発明の実施の形態３に係る電気掃除機の係止部材の動作を説明する図である。
【発明を実施するための形態】
【００１０】
実施の形態１.
図１は、本発明の実施の形態１に係る電気掃除機の外観斜視図である。図２は、実施の形態１に係る電気掃除機の掃除機本体の平面図である。図３は、図２のＡ−Ａ線断面図である。図４は、実施の形態１に係る電気掃除機の集塵容器の外観斜視図である。図５は、実施の形態１に係る電気掃除機の集塵容器の側面図である。図６は、実施の形態１に係る電気掃除機の上蓋上面の意匠部品を取り外した外観斜視図である。図７は、実施の形態１に係る電気掃除機の上蓋の底面図である。図８は、図３のＢ部拡大図である。図９は、実施の形態１に係る電気掃除機の集塵容器を集塵室から取り出す動作を説明するための図である。図１０は、実施の形態１に係る電気掃除機の集塵容器を集塵室から取り出す動作を説明するための図である。図１１は、実施の形態１に係る電気掃除機の集塵容器を説明するための図である。図１２は、実施の形態１に係る電気掃除機の集塵容器を説明するための図である。
【００１１】
図１に示すように、電気掃除機１００は、吸込具１と、吸引パイプ２と、接続パイプ３と、ホース４と、掃除機本体５とから構成されている。
【００１２】
吸込具１は床面上の塵埃及び含塵空気を吸い込む。吸込具１の出口側には真直な円筒状の吸引パイプ２の一端が接続されている。吸引パイプ２の他端には、電気掃除機１００の運転を制御する動作スイッチ２ａが設置された取手が設けられており、接続パイプ３の一端が接続されている。接続パイプ３の他端には、可撓性を有する蛇腹状のホース４の一端が接続されている。さらに、ホース４の他端には、掃除機本体５が接続されている。
【００１３】
掃除機本体５は電源コード（図示せず）を介して外部電源に接続され、動作スイッチ２ａにより通電されることで集塵動作を行う。吸込具１、吸引パイプ２、接続パイプ３およびホース４は、含塵空気を掃除機本体５の外から内部に流入させるための風路を構成する。
【００１４】
電気掃除機本体５の内部には電動送風機７が内蔵されている（図１５参照）。電動送風機７を動作させることにより掃除機本体ケース６内の圧力を負圧にし，吸引力を発生させる。吸引された塵埃を含む空気は，吸込具１、吸引パイプ２、接続パイプ３およびホース４を経由して、掃除機本体５に設けられた集塵室１０内に収納された集塵容器９内に導かれる。
【００１５】
集塵容器９は集塵室１０に着脱自在に収容される。集塵室１０は上部が開口し、上蓋８により開閉自在に覆われる。上蓋８は、掃除機本体５の後方の軸支部８ａに軸支され、軸支部８ａのまわりに回動可能である。上蓋８の軸支部８ａと反対側の端に手掛部８ｃを備え、手掛部８ｃに手を掛けて引き上げることにより、上蓋８が開成される。なお、手掛部８ｃ付近に、上蓋８を掃除機本体５へ係止する上蓋係止部（図示せず）とこの係止を解除する上蓋係止解除ボタン（図示せず）がある。
【００１６】
集塵容器９は、図４、図５に示すように、下方向に先細りの箱形状である。同図の左側に、ホース４と連通する開口部が設けられる。集塵容器９の内部にはサイクロン部（図示せず）が仕切られている。サイクロン部では、比較的大きな塵埃を分離する。同図の右側には集塵容器９の風下側の開口が設けられ、この開口にフィルター１３が設けられる。このフィルター１３は、サイクロン部で分離されなかった小さい塵埃を捕捉する。フィルター１３はフィルター枠１３ａにより支持され、フィルター枠１３ａの風下側の周縁には、シール部１３ｂが設けられる。フィルター枠１３ａは開閉自在であり、フィルター枠１３ａを開けて、集塵容器９内の塵埃を廃棄する。なお、集塵容器９の重心Ｇの位置を、図１１に示す。
【００１７】
集塵容器９の上部には、板状部である被係止部１２が集塵容器９と一体で形成される。被係止部１２を含め、集塵容器９は例えばＡＢＳ樹脂で形成される。被係止部１２は上面が平面で、その端部１２ｂは平面視で円弧状に形成される。厚みは３ｍｍ程度である。被係止部１２の下面１２ａにおいて、円弧の先端付近の端部１２ｂ付近には傾斜部１２ｃが設けられる（図８参照）。被係止部１２は、後述する係止部１１に係止され、上蓋８の回動動作にともない集塵容器９をホップアップするのに利用される他、集塵容器９を持ち運ぶための取っ手を兼ねる。
【００１８】
係止部１１は、上蓋８の下面に、例えばＡＢＳ樹脂で形成される。図８に示すように、係止部１１は、被係止部１２を係止する第１の面１１ａと、この第１の面１１ａと先端部１１ｃを介して連なる傾斜面である第２の面１１ｂとを有する爪部である。
【００１９】
図７に示すように、係止部１１の根元部１１ｄは、その周囲に切り込み部１１ｅを形成している。この切り込み部１１ｅにより、係止部１１は弾性変形がしやすくなる。後述するように、根元部１１ｄの弾性変形により、係止部１１と被係止部１２とを係止する。なお、根元部１１ｄの大きさは、例えば、長さａは２５ｍｍ程度、幅ｂは１５ｍｍ程度、厚さは３ｍｍ程度である。
【００２０】
次に、動作について説明する。
電源コードを介して掃除機本体５を外部電源に接続し、動作スイッチ２ａをオンする。すると、電動送風機７が通電され、掃除機本体ケース６内の圧力を負圧にし，吸引力を発生させる。吸引された塵埃を含む空気は，吸込具１、吸引パイプ２、接続パイプ３およびホース４を経由して、集塵室１０内に収容された集塵容器９内に導かれる。集塵容器９内に入った塵埃を含む空気は、サイクロン部で旋回され、旋回流の遠心力により、まず、比較的大きな塵埃が分離される。サイクロン部で分離されなかった小さい塵埃はフィルター１３で捕捉される。このように、集塵容器９の内部に塵埃が溜まる。そして、フィルター１３を通過した、塵埃が分離された清浄な空気は、電動送風機７を通過して、掃除機本体５の後部の排気口（図示せず）から外部に排気される。
【００２１】
電気掃除機１００が掃除動作中の、上蓋８、係止部１１、被係止部１２の配置は図３および図８に示すとおりである。すなわち、係止部１１の第１の面１１ａは被係止部１２の下面１２ａと離間しており、係止部１１は被係止部１２を係止していない状態である。このとき、集塵容器９は、後述する係止部材１４により集塵室１０に係止される。
【００２２】
まず、集塵容器９内に溜まった塵埃を廃棄する場合の動作を説明する。
上蓋係止解除ボタンを押し、上蓋８と掃除機本体５との係止を解除し、上蓋８の手掛部８ｃに手を掛けて引き上げると、上蓋８は軸支部８ａのまわりに回動する。上蓋８の回動にともない、係止部１１が上方に移動すると、係止部１１の第１の面１１ａが被係止部１２の下面１２ａと当接する。図９が係止部１１の第１の面１１ａが被係止部１２の下面１２ａと当接している状態を示す。さらに上蓋８が回動されると係止部１１も上方に移動し、被係止部１２は係止部１１により上へ引き上げられ、集塵容器９がホップアップされる。このとき、集塵容器９のフィルター枠１３ａの周縁のシール部１３ｂが、対向する集塵室１０側の部材と摺動し、さらに、後述する係止部材１４の係止しようとする力に抗して、集塵容器９がホップアップされる。なお、集塵容器８は下方に向かって先細りの形状であり、集塵容器８をホップアップしやすい。
【００２３】
このとき、集塵容器９は、被係止部１２の端部１２ｂ付近を支点として、係止部１１の第１の面１１ａに吊り下げられている状態となる。そして、図１１に示すように、集塵容器９の重心Ｇは、集塵容器９が集塵室１０に収容された状態で、被係止部１２である板状部の端部１２ｂから上蓋８の軸支部８ａ側に距離ｓの位置にある。したがって、集塵容器９は、被係止部１２の端部１２ｂ付近を支点として、係止部１１の第１の面１１ａに吊り下げられている状態では、図１２に示すように、端部１２ｂの垂直下方に集塵容器９の重心Ｇが位置する方向に、集塵容器９が端部１２ｂの周りに回転する。したがって、集塵容器９のフィルター枠１３ａの周縁に設けられたシール部１３ｂが対向する部分から離れる方向に移動するので、集塵容器９を容易にポップアップできる。
【００２４】
さらに、上蓋８が回動されると、係止部１１の第１の面１１ａが傾き、被係止部１２の下面１２ａが摺動して係止部１１の第１の面１１ａからずり落ちる。その結果、係止部１１と被係止部１２との係止が解除される。図１０が、係止部１１と被係止部１２との係止が解除された状態を示す。集塵容器９は集塵室１０側に残り、上蓋８は開成され、集塵室１０の上部が開く。そして、取っ手を兼ねる被係止部１２を持って集塵容器９を集塵室１０から取り出し、ゴミ箱の上方へ移動する。そして、集塵容器９のフィルター枠１３ａを開け、塵埃を廃棄する。ここで、被係止部１２の下面１２ａに傾斜部１２ｃを設けたので、被係止部１２の下面１２ａが摺動して係止部１１の第１の面１１ａからずり落ちやすくなり、係止部１１と被係止部１２との係止が容易に解除される。
【００２５】
次に、集塵容器９を集塵室１０へ収容するときの動作を説明する。
上蓋８を開け、集塵容器９を集塵室１０へ収容する。集塵容器９を集塵室１０へ押し込むと、後述する係止部材１４により、集塵容器９は集塵室１０へ係止される。なお、集塵容器９は、下方向に先細りであり、集塵容器９を集塵室１０へ収容しやすい。
【００２６】
この状態で、上蓋８を閉じると、まず、係止部１１の第２の面が被係止部１２の端部１２ｂの上面と当接する。さらに上蓋８を閉じると、係止部１１は第２の面１１ｂが被係止部１２の端部１２ｂと摺動しながら、係止部１１は根元部１１ｄが弾性変形し、先端部１１ｃが端部１２ｂを乗り越える。さらに上蓋８を閉じると、図８に示すように、係止部１１の第１の面１１ａと被係止部１２の下面１２ａとが離間した状態となる。そして、上蓋係止部により上蓋８が掃除機本体５に係止され、上蓋８の閉成状態が維持される。
【００２７】
このように、実施の形態１に係る電気掃除機では、集塵容器と、掃除機本体に設けられ集塵容器が着脱自在に収容される集塵室と、集塵室の上部開口を開閉自在に覆う上蓋とを備え、上蓋の下面に係止部を有し、集塵容器の上部には前記係止部と係止される被係止部を有し、集塵室の上部開口を前記上蓋が閉じた状態から開ける動作にともない係止部が被係止部を係止して集塵容器を引き上げるとともに、上蓋が所定の位置以上に開くと係止部と被係止部との係止が解除されるので、簡単な構成で集塵容器をホップアップすることができる。
【００２８】
また、係止部は被係止部を係止する第１の面と、この第１の面と先端部を介して連なる傾斜面である第２の面とを有する爪部であり、被係止部は板状部であり、集塵室の上部開口を上蓋が閉じる動作にともない爪部が弾性変形して第２の面が板状体の爪部側の端部と摺動しながら爪部の先端部が板状体の端部を乗り越え、集塵室の上部開口を上蓋が閉じた状態から開ける動作にともない爪部の第１の面が板状部の下面を係止して集塵容器を引き上げるとともに、上蓋が所定の位置以上に開くと第１の面または先端部と板状部の下面とが摺動して爪部の先端部が板状部の端部を乗り超えることにより係止部と被係止部との係止が解除されるので、簡単な構成で集塵容器をホップアップすることができる。
【００２９】
また、板状部の下面で第１の面または先端部と摺動する位置に傾斜部を設けたので、上蓋を開けるときに、係止部と被係止部との係止が容易に解除される。
【００３０】
また、集塵容器の形状が下方に向かって先細りであるため、集塵容器を容易にポップアップできる。また、集塵容器を集塵室へ容易に収容できる。
【００３１】
また、係止部の根元部の周囲に切り込みを形成しているので、係止部が弾性変形しやすくなり、上蓋を閉めるときに、係止部の先端部が被係止部の端部を容易に乗り越えることができるので、少ない力で上蓋を閉めることができる。
【００３２】
さらに、集塵容器が集塵室に収容された状態で、集塵容器の重心が、被係止部である板状部の端部よりも上蓋の軸支部側に位置するようにしたので、集塵容器を容易にホップアップできる。
【００３３】
実施の形態２．
図１３は、実施の形態２に係る電気掃除機の集塵容器を集塵室へ押し込む動作を説明するための図である。図１４は、図１３のＣ部拡大図である。
実施の形態２に係る電気掃除機は、図１４に示すように、上蓋８の下面に集塵容器９の上部である被係止部１２の上面と当接する当接部８ｂを設けるものである。その他の構成は実施の形態１に示した構成と同じである。
【００３４】
図７に示すように、当接部８ｂは、係止部１１の根元部１１ｄの両側の１対の位置に設けられる。集塵容器９が集塵室１０へ完全に収容されていない場合、上蓋８が集塵室１０の上部開口を閉じる動作に伴って、当接部８ｂが集塵容器９の上部である被係止部１２の上面と当接する。さらに上蓋８を閉じると、当接部８ｂが被係止部１２の上面と当接しながら、後述する係止部材１４が集塵容器９を係止する位置に達する位置まで集塵容器９を集塵室１０に押し込む。
【００３５】
このように、実施の形態２に係る電気掃除機では、集塵室の上部開口を上蓋が閉じる動作にともない集塵容器を集塵室の所定の位置に押し込むようにすべく、上蓋の下面に集塵容器の上部と当接する当接部を設けたので、集塵容器を確実に集塵容器へ収容することができる。
【００３６】
実施の形態３．
図１５は、実施の形態３に係る電気掃除機の係止部材を含む縦断面図である。図１６は、実施の形態３に係る電気掃除機の係止部材の外観斜視図である。図１７は、実施の形態３に係る電気掃除機の係止部材の動作を説明する、図１５のＤ部拡大図である。図１８及び図１９は、実施の形態４に係る電気掃除機の係止部材の動作を説明する図である。
実施の形態３に係る電気掃除機は、集塵容器を集塵室に着脱自在に係止する係止部材を設けるものであり、その他の構成は、実施の形態１または実施の形態２に示した構成と同じである。
【００３７】
図１５に示すように、係止部材１４は、集塵室１０の前側（ホース４の接続側）の上方に設ける。図１５は上蓋８が開き、集塵容器９がポップアップされ、係止部材１４による集塵容器９と集塵室１０との係止状態が解除されている状態を示す。
【００３８】
図１６に示すように、係止部材１４は、集塵容器９と対向する掃除機本体５側に、円弧形状の第１の面１４ａを有し、第１の面１４ａの下方に、第２の面１４ｂを有する。そして、両側に１対の軸支部１４ｃを備え、このまわりに回動自在である。
【００３９】
図１７は、図１５のＤ部の拡大図である。係止部材１４は、軸支部１４ｃのまわりに回動自在であり、バネである付勢手段１５により、第１の面１４ａ及び第２の面１４ｂを下方に回動する方向（同図では右方向）に付勢する。ただし、係止部材１４は、規制部１６により、係止部材１４の回動範囲を規制する。図１７は、集塵容器９が係止部材１４の第１の面１４ａと当接し、集塵容器９の自重も加わって第１の面１４ａを下方向に回転しようとする。しかし、規制部１６により、係止部材１４と規制部１６とが当接した状態で係止部材１４の回動は停止している。
【００４０】
次に、集塵容器９を集塵室１０に押し込むときの動作を説明する。
図１７の状態において、上蓋８を閉じる動作に伴って、または、手で上から押圧することにより、集塵容器９を集塵室１０に押し込むと、規制部１６により回動が停止している係止部材１４の第１の面１４ａと集塵容器９とが摺動しながら、集塵容器９が下方へ移動する。第１の面１４ａは円弧形状であるため、集塵容器９との接触面積が小さくなるので摩擦力は小さく、小さい力で集塵容器１０を押し込むことができる。
【００４１】
さらに集塵容器９を下方に押し込むと、図１８に示すように、集塵容器９の第２の被係止部９ａが係止部材１４の第１の面１４ａの下端を過ぎ、第２の面１４ｂと当接する。付勢手段１５により係止部材１４の第２の面が下方向に付勢されているので、第２の面１４ｂが第２の被係止部９ａを下方に付勢し、集塵容器９が集塵室１０に係止される。
【００４２】
次に、集塵容器９を集塵室１０から引き上げるするときの動作を説明する。
上蓋８の開く動作に伴って、図１８の状態から集塵容器９が上方へ引き上げられると、集塵容器９の第２の被係止部９ａは係止部材１４の第２の面１４ｂを、付勢手段１５の付勢力に抗して押し上げる。そして、第２の係止部１４ｂが係止部材１４の第１の面１４ａの下端を過ぎ、集塵容器９の第２の係止部１４ｂの下方に連なる摺動面９ｂと、係止部材１４の第１の面１４ａとが摺動しながら集塵容器９が上方へ引き上げられる。
【００４３】
このように、実施の形態３に係る電気掃除機では、掃除機本体側に回動自在に軸支され、集塵容器を集塵室に係止するとともに第１の面とこの第１の面よりも下方に位置する第２の面とを有する係止部材と、第１の面及び第２の面を下方に回動する方向に係止部材を付勢する付勢手段と、係止部材の前記方向への回動範囲を規制する規制部と、集塵容器に第２の面と当接する第２の被係止部とを備え、集塵容器が集塵室に収容された状態では第２の面が集塵容器の第２の被係止部と当接して係止部材が集塵容器を係止し、集塵容器が集塵室から引き上げられるときは、第２の被係止部が付勢手段の付勢力に抗して第２の面を押し上げて、係止部材と集塵容器との係止を解除し、集塵容器が集塵室に押し込まれるときは、規制部により係止部材の回動が停止した状態で、第１の面が集塵容器と摺動するようにしたので、集塵容器を小さい力で集塵室に収容し、また、ホップアップすることができる。
【符号の説明】
【００４４】
１  吸込具、２  吸引パイプ、２ａ  スイッチ、３  接続パイプ、４  ホース、５  掃除機本体、６  本体ケース、７  電動送風機、８  上蓋、８ａ  軸支部、８ｂ  当接部、８ｃ  手掛部、９  集塵容器、９ａ  第２の被係止部、９ｂ  摺動面、１０  集塵室、１１  係止部、１１ａ  第１の面、１１ｂ  第２の面、１１ｃ  先端部、１１ｄ  根元部、１１ｅ  切り込み部、１２  被係止部、１２ａ  下面、１２ｂ  端部、１２ｃ  傾斜部、１３  フィルター、１３ａ  フィルター枠、１３ｂ  シール部、１４  係止部材、１４ａ  第１の面、１４ｂ  第２の面、１４ｃ  軸支部、１５  付勢手段、１６  規制部、１００  電気掃除機。
【図１】
0005664284.tif 000002
【図２】
0005664284.tif 000003
【図３】
0005664284.tif 000004
【図４】
0005664284.tif 000005
【図５】
0005664284.tif 000006
【図６】
0005664284.tif 000007
【図７】
0005664284.tif 000008
【図８】
0005664284.tif 000009
【図９】
0005664284.tif 000010
【図１０】
0005664284.tif 000011
【図１１】
0005664284.tif 000012
【図１２】
0005664284.tif 000013
【図１３】
0005664284.tif 000014
【図１４】
0005664284.tif 000015
【図１５】
0005664284.tif 000016
【図１６】
0005664284.tif 000017
【図１７】
0005664284.tif 000018
【図１８】
0005664284.tif 000019
【図１９】
0005664284.tif 000020